(57)【要約】【課題】額用マットに装飾された押し花が、早期に褪色や変色することを防止し、長期間にわたり被装飾体を綺麗に装飾することのできる新規な押し花を付設した額用マット並びにこれを具えた額縁を提供する。【解決手段】額縁本体内に配設され、写真や絵等の被装飾体を開口窓から露見させ、被装飾体を装飾するための額用マット３において、この額用マット３上には押し花Ｆが付設され、この押し花Ｆにはアクリル絵の具等の着色剤５が塗布されるとともに、この押し花Ｆが付設された額用マット３を、熱圧着性のラミネートフィルム４で被覆されることを特徴とする。【選択図】      図２
2004306316.tif 000002
【特許請求の範囲】
【請求項１】
額縁本体内に配設され、写真や絵等の被装飾体を開口窓から露見させ、被装飾体を装飾するための額用マットにおいて、この額用マット上には押し花が付設されるとともに、この押し花には着色剤が塗布されていることを特徴とする押し花を付設した額用マット。
【請求項２】
前記押し花が付設された額用マットを、熱圧着性のラミネートフィルムで被覆していることを特徴とする請求項１記載の押し花を付設した額用マット。
【請求項３】
前記着色剤はアクリル絵の具であることを特徴とする請求項１または２記載の押し花を付設した額用マット。
【請求項４】
額縁本体内に、写真や絵等の被装飾体を露見させるための開口窓を具えた額用マットを納めて成る額縁において、前記額用マット上には押し花が付設されるものであり、且つこの押し花には着色剤が塗布されていることを特徴とする押し花を付設した額用マットを具えた額縁。
【請求項５】
前記押し花が付設された額用マットを、熱圧着性のラミネートフィルムで被覆していることを特徴とする請求項４記載の押し花を付設した額用マットを具えた額縁。
【発明の詳細な説明】
【０００１】
【発明の属する技術分野】
本発明は額縁内に収納して用いられる額用マットと、この額用マットを具えた額縁に関するものであり、特に額用マットの装飾に係るものである。
【０００２】
【発明の背景】
従来より写真等を飾る際に額縁が用いられているが、この際この額縁内に更に開口窓が開口された額縁マットを配設し、写真等の装飾効果をより高めることが行われている。ところでこの額縁マットとしては、色や開口窓の形状等については種々のものが流通しているが、平面的であり、装飾効果に物足りなさを感じる面があった。
【０００３】
このため、額縁マットに対し、押し花を付着して立体的な装飾を施すことも考案されているが（例えば、特許文献１及び特許文献２参照。）、押し花は天然のものであるため、ラミネートフィルムで被覆したり、更に乾燥剤や脱酸素剤を額縁内部に収納したとしても、比較的早期に褪色や変色することは否めず、綺麗な装飾効果を維持できる期間もおのずと限界があった。
【０００４】
【特許文献１】
実用新案登録第３００２３５０号公報
【特許文献２】
実用新案登録第３００３０８６号公報
【０００５】
【開発を試みた技術的課題】
本発明はこのような背景からなされたものであって、額用マットに装飾された押し花が、早期に褪色や変色することを防止し、長期間にわたり被装飾体を綺麗に装飾することのできる新規な押し花を付設した額用マット並びにこれを具えた額縁の開発を試みたものである。
【０００６】
【課題を解決するための手段】
すなわち請求項１記載の押し花を付設した額用マットは、額縁本体内に配設され、写真や絵等の被装飾体を開口窓から露見させ、被装飾体を装飾するための額用マットにおいて、この額用マット上には押し花が付設されるとともに、この押し花には着色剤が塗布されていることを特徴として成るものである。
この発明によれば、押し花に対し着色剤が塗布されているため、褪色や変色することが防止される。そして押し花が額用マットに付設されているため、立体的な装飾が額用マットに施されることとなり、押し花自体が装飾性に富み、観る者の心を捉えるとともに、本来の写真や絵等の被装飾体も引き立つ。
【０００７】
また請求項２記載の押し花を付設した額用マットは、前記要件に加え、前記押し花が付設された額用マットを、熱圧着性のラミネートフィルムで被覆していることを特徴として成るものである。
この発明によれば、押し花の額用マットへの固定を確実とするとともに、押し花を湿気等から守り、褪色や変色することも更に重ねて防止する。
【０００８】
更に請求項３記載の押し花を付設した額用マットは、前記要件に加え、前記着色剤はアクリル絵の具であることを特徴として成るものである。
この発明によれば、押し花が、褪色や変色することを更に重ねて防止する。
【０００９】
更にまた請求項４記載の押し花を付設した額用マットを具えた額縁は、額縁本体内に、写真や絵等の被装飾体を露見させるための開口窓を具えた額用マットを納めて成る額縁において、前記額用マット上には押し花が付設されるものであり、且つこの押し花には着色剤が塗布されていることを特徴として成るものである。
この発明によれば、押し花に着色剤が塗布されているため、褪色や変色することが防止される。そして押し花が額用マットに貼付されているため、立体的な装飾が額用マットに施されることとなり、押し花自体が装飾性に富み、観る者の心を捉えるとともに、被装飾体も引き立つ。
【００１０】
更にまた請求項５記載の押し花を付設した額用マットを具えた額縁は、前記請求項４記載の要件に加え、前記押し花が付設された額用マットを、熱圧着性のラミネートフィルムで被覆していることを特徴として成るものである。
この発明によれば、押し花の額用マットへの固定を確実とするとともに、押し花を湿気等から守り、褪色や変色することも更に防止する。
【００１１】
【発明の実施の形態】
以下本発明を図示の実施の形態に基づき説明する。なお以下の説明にあたっては、押し花を付設した額用マットを具えた額縁の説明を行うことによって、併せて押し花を付設した額用マットの説明も行う。
【００１２】
図中符号１で示すものが、押し花を付設した額用マットを具えた額縁であり、このものは、図１（ｂ）に示されるように額縁本体２と、額用マット３と、額用マット３の表面に付設される押し花Ｆと、この押し花Ｆが付設された額用マット３を被覆するラミネートフィルム４とから成る。
以下各部材について詳細に説明する。
【００１３】
まず額縁本体２について説明する。額縁本体２は、矩形状をしたフレーム２Ａと、無反射ガラスを適用したガラス２Ｂと、背面に設けられる額板２Ｃとからなる。なお額縁本体２は、一般に流通しているような種々の形態のものを適用できるものであり、前記ガラス２Ｂに換え、透明アクリル板が適用されたものを用いることも可能である。また額縁本体２の形状についても、図示されるような矩形状のもののほか、楕円形や円形、多角形、その他の形状であってもよい。更に額縁本体２の側面や背面に、花の香りがする芳香剤等を設けるようにしてもよい。
【００１４】
次に額用マット３について説明する。額用マット３も前記額縁本体２にちょうど収まるような矩形状をしており、中央に写真等の被装飾体Ａを露見させるための矩形状の開口窓３ａが開口されている。またこの額用マット３の表面には、西陣織等の生地を貼設し、装飾性を高めることも好ましい。因みに前記開口窓３ａは、図４に示されるように楕円形であってもよいし、その他、円形、多角形、動物の形状等、種々の形状で実施することが可能である。
【００１５】
そして本発明の特徴として、前記額用マット３の表面の一例として上部と下部に着色剤５が塗布された押し花Ｆが貼付され（図１（ａ）参照）、更にこの押し花Ｆを貼付した額用マット３を熱圧着性のラミネートフィルム４で覆っている。
【００１６】
本発明の押し花Ｆを付設した額用マット３を具えた額縁１は一例として以上のような形態を有するものであって、以下に本発明に係る押し花Ｆを付設した額用マット３の製作工程を簡略的に述べるとともに、押し花Ｆを付設した額用マット３を具えた額縁１の使用態様について説明する。
【００１７】
（１）押し花の作成
まず本発明に係る押し花Ｆを付設した額用マットの製作工程について説明すると、摘み取られた生花Ｆ０を、例えば図２（ａ）（ｂ）に示されるように紙Ｐなどの間に挟んで重しＷなどで押さえつけ、乾かして押し花Ｆを作成する。もちろん押し花Ｆを作成する手法としては、例えばアイロンや電子レンジを用いるものなど種々の変わった手法も知られており、適宜の手法で押し花Ｆを作成できる。
【００１８】
（２）作成された押し花の額用マットへの貼付（図２（ｃ）参照）
次に上記作製された押し花Ｆに接着剤６を塗布して、好みのデザインとなるように、複数の押し花Ｆを額用マット３へ貼付する。
【００１９】
（３）押し花への着色（図２（ｄ）参照）
一例としてアクリル絵の具を用いて上記額用マット３へ貼付された押し花Ｆに対し、着色剤５を塗布する。もちろん元の色に近いように着色してもよいし、製作者や注文主の好みにより更に色鮮やかとなるような着色を施してもよい。なおこの押し花Ｆへの着色を行った後に額用マット３に押し花Ｆを貼付することも可能である。
【００２０】
（４）ラミネートフィルムによる被覆（図２（ｅ）（ｆ）参照）
そして額用マット３全体に対し、貼り付けられた押し花Ｆを間に挟んで、一例として熱圧着性のラミネートフィルム４で被覆する。なお押し花Ｆの貼り付けた個所のみをラミネートフィルム４で被覆することも、もちろん可能であるが、ラミネートフィルム４を被覆した個所のみ艶等の色合いが変わるため、額用マット３全体にラミネートフィルム４を被覆することが好ましい。
【００２１】
（５）押し花を付設した額用マットを具えた額縁の使用態様
次に本発明に係る額縁１の使用態様について説明する。例えば遺影等の写真を額縁１に入れて飾る場合には、まず額板２Ｃをフレーム２Ａから外し、写真の表が額用マット３の開口窓３ａに向くように載置し、再び額板２Ｃをフレーム２Ａに取り付ける。
このような状態では、図１（ａ）に示されるように遺影に花が供えられた状態となり、しかもその花が半立体的形状を有するため、観る者の心を捉えるとともに、遺影自体も引き立つ。また押し花Ｆで、自然の花であるため、先祖の供養ともなる。そしてこの押し花Ｆには着色剤５が塗布され、ラミネートフィルム４の被覆が施されているため、長い年月を経ても変色や褪色することがほとんどない。また更に額縁本体２のガラス２Ｂに無反射ガラスを適用しているため、これによっても被装飾体Ａ、押し花Ｆ及び額用マット３の褪色及び変色が防止されている。
【００２２】
【発明の効果】
請求項１及び４記載の押し花を付設した額用マット並びにこれを具えた額縁によれば、額用マット３上には押し花Ｆが付設されるとともに、この押し花Ｆには着色剤５が塗布されているため、褪色や変色することが防止される。そして押し花Ｆが額用マット３に付設されているため、立体的な装飾が額用マット３に施されることとなり、押し花Ｆ自体が装飾性に富み、観る者の心を捉えるとともに、本来の写真や絵等の被装飾体Ａも引き立つ。
【００２３】
また請求項２及び５記載の押し花を付設した額用マット並びにこれを具えた額縁によれば、押し花Ｆが付設された額用マット３を、熱圧着性のラミネートフィルム４で被覆しているため、押し花Ｆの額用マット３への固定を確実とするとともに、押し花Ｆを湿気等から守り、褪色や変色することも更に重ねて防止される。
【００２４】
更に請求項３記載の押し花を付設した額用マットは、着色剤５がアクリル絵の具であるため、押し花Ｆが、褪色や変色することが更に重ねて防止される。
【図面の簡単な説明】
【図１】本発明に係る押し花を付設した額用マットを具えた額縁の実施の形態を示す正面図並びに分解斜視図である。
【図２】本発明に係る押し花を付設した額用マットの製作工程を示す説明図である。
【図３】本発明に係る押し花を付設した額用マットを具えた額縁の断面図である。
【図４】額用マットの開口窓の形状を異ならせた他の実施の形態を示す正面図である。
【符号の説明】
１    額縁
２    額縁本体
２Ａ  フレーム
２Ｂ  ガラス
２Ｃ  額板
３    額用マット
３ａ  開口窓
４    ラミネートフィルム
５    着色剤
６    接着剤
Ａ    被装飾体
Ｆ    押し花
Ｆ０  生花
Ｗ    重し
Ｐ    紙
【図１】
2004306316.tif 000003
【図２】
2004306316.tif 000004
【図３】
2004306316.tif 000005
【図４】
2004306316.tif 000006